(57)【要約】【課題】液晶装置等の電気光学装置において、データ信号の伝送に伴う電磁妨害を低減すると共に伝送品質を向上させる。【解決手段】電気光学装置は、電気光学動作を行う電気光学パネル（１００）と、該電気光学パネルに電気的に接続された信号配線（６１０）と、この信号配線における電気光学パネルに電気的に接続された一端とは異なる他端に電気的に接続されており、電気光学パネルに供給すべきデジタル信号としてのデータ信号（Ｄｓ）を周波数変調方式で変調する変調回路（８２０）を含む、電気光学パネルを駆動するための駆動回路（８００）とを備える。【選択図】図１
2008216724.tif 000002
【特許請求の範囲】
【請求項１】
電気光学動作を行う電気光学パネルと、
該電気光学パネルに電気的に接続された信号配線と、
該信号配線における前記電気光学パネルに電気的に接続された一端とは異なる他端に電気的に接続されており、前記電気光学パネルに供給すべきデジタル信号としてのデータ信号を周波数変調方式で変調する変調回路を含む、前記電気光学パネルを駆動するための駆動回路と
を備えたことを特徴とする電気光学装置。
【請求項２】
前記変調回路は、前記周波数変調方式としてＭＦＭ方式で変調することを特徴とする請求項１に記載の電気光学装置。
【請求項３】
前記電気光学パネル及び前記駆動回路に接続されたフレキシブル基板と、
該フレキシブル基板上に設けられており、前記変調されたデータ信号を復調する復調回路と
を備え、
前記信号配線は、前記フレキシブル基板上に形成される
ことを特徴とする請求項１又は２に記載の電気光学装置。
【請求項４】
電気光学動作を行う電気光学パネルと、
該電気光学パネルに電気的に接続された信号配線と、
該信号配線における前記電気光学パネルに電気的に接続された一端とは異なる他端に電気的に接続されており、前記電気光学パネルに供給すべきデジタル信号としてのデータ信号を、ＮＲＺＩ方式又はＭＮＲＺＩ方式で変調する変調回路を含む、前記電気光学パネルを駆動するための駆動回路と
を備えたことを特徴とする電気光学装置。
【請求項５】
請求項１から４のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置として、画素領域（或いは「画像表示領域」）における表示動作などの電気光学動作を行う液晶パネル等の電気光学パネルと、この電気光学パネルを駆動或いは制御するための駆動回路とがフレキシブル基板を介して互いに接続される。このように構成された電気光学装置は、その動作時には、駆動回路からの画像データ等のデータ信号がフレキシブル基板上の配線を伝送路として電気光学パネルに伝送されることで、電気光学パネルにおける画像表示が可能となる。
【０００３】
例えば特許文献１では、高い周波数で動作する信号を全て小振幅信号とすることで、電磁妨害(ＥＭＩ：Electromagnetic Interference）を低減する技術が開示されている。
【０００４】
【特許文献１】特開平１０−２０８３７号公報
【発明の開示】
【発明が解決しようとする課題】
【０００５】
上述したデータ信号がフレキシブル基板上の配線によって伝送される際、データ信号はＮＲＺ（Non Return to Zero）方式の伝送信号として伝送されることが多い。このため、電気光学パネルに伝送すべきデータ信号の増加に伴って、伝送信号の周波数が高くなってしまう。これにより、伝送路であるフレキシブル基板上の配線の周囲における電磁妨害が増大してしまったり、伝送品質が低下してしまったりするおそれがあるという技術的問題点がある。
【０００６】
本発明は、例えば上述した問題点に鑑みなされたものであり、データ信号の伝送に伴う電磁妨害を低減できると共に伝送品質を向上させることができ、高品位な画像を表示可能な電気光学装置、及びそのような電気光学装置を具備してなる電子機器を提供することを課題とする。
【課題を解決するための手段】
【０００７】
本発明に係る第１の電気光学装置は上記課題を解決するために、電気光学動作を行う電気光学パネルと、該電気光学パネルに電気的に接続された信号配線と、該信号配線における前記電気光学パネルに電気的に接続された一端とは異なる他端に電気的に接続されており、前記電気光学パネルに供給すべきデジタル信号としてのデータ信号を周波数変調方式で変調する変調回路を含む、前記電気光学パネルを駆動するための駆動回路とを備える。
【０００８】
本発明に係る第１の電気光学装置によれば、その動作時には、駆動回路によって電気光学パネルが駆動され、その電気光学動作が行われる。即ち、その動作時には、駆動回路から電気光学パネルへ、例えばフレキシブル基板上に設けられた信号配線を伝送路として画像データ等のデータ信号が伝送されることで、例えば、電気光学パネルの画素領域において、画像表示動作が行われる。ここで仮に、何らの対策も施さず、データ信号をＮＲＺ方式の伝送信号として信号配線を介して駆動回路から電気光学パネルへ伝送する場合には、伝送信号の周波数が比較的高くなってしまいやすく、伝送路である信号配線の周囲に電磁妨害（即ち、ＥＭＩ）が増大してしまったり、伝送品質が低下してしまったりするおそれがある。
【０００９】
しかるに本発明では特に、駆動回路は、データ信号を周波数変調方式で変調する変調回路を含んでいる。よって、駆動回路から信号配線上に伝送される伝送信号の周波数を、仮に伝送信号をＮＲＺ方式の伝送信号とした場合に比べて低くすることができる。従って、データ信号（より正確には、データ信号が変調された伝送信号）を伝送する伝送路である信号配線の周囲における電磁妨害を低減或いは防止できると共に、伝送品質を向上させることができる。
【００１０】
更に、データ信号は周波数変調方式で変調されるので、伝送信号には、伝送信号を変調及び復調する際の基準となるタイミングを規定する基準クロック信号が含まれることになる。よって、基準クロック信号を、駆動回路から電気光学パネル側へ伝送する必要がない。即ち、例えば、基準クロック信号を供給するための信号配線を接続するための端子を、電気光学パネル側に設ける必要がない。従って、当該電気光学装置をより簡易な構成とすることができる。
【００１１】
加えて、データ信号は周波数変調方式で変調されるので、基準クロック信号の周波数を高くすることで伝送速度（或いは転送レート）を高める（即ち、単位時間当たりに駆動回路から電気光学パネルへ供給されるデータ信号の量を増大させる）と共に、伝送信号の周波数を仮に伝送信号をＮＲＺ方式の伝送信号とした場合に比べて低くすることができる。言い換えれば、伝送信号の周波数が仮に伝送信号をＮＲＺ方式の伝送信号とした場合に比べて低くなる範囲内において、基準クロック信号の周波数を比較的高く設定することで、伝送信号の周波数を実質的に低下させつつ、伝送速度を高めることが可能となる。
【００１２】
以上説明したように、本発明に係る第１の電気光学装置によれば、データ信号の伝送に伴う電磁妨害を低減できると共に、伝送品質を向上させることができる。この結果、高品位な画像を表示可能となる。
【００１３】
本発明に係る第１の電気光学装置の一態様では、前記変調回路は、前記周波数変調方式としてＭＦＭ方式で変調する。
【００１４】
この態様によれば、変調回路は、データ信号を、ＭＦＭ（Modified Frequency Modulation：修正周波数変調）方式で変調する。即ち、変調回路は、データ信号のビットが、「１」の場合には、伝送信号の電位を基準電位に対して極性反転させ、「０」が一つの場合には、伝送信号の電位を維持し、「０」又は「１」が連続する場合には、伝送信号の電位をその連続する境界で極性反転させるように、データ信号を変調する。よって、データ信号において「１０１」が連続する部分が含まれる場合には、伝送信号の周波数を、基準クロック信号の周波数よりも低くすることができる。ここで特に、データ信号において「１０１」が連続する部分が多いほど、伝送信号の周波数をより低くすることができる。従って、伝送信号を伝送する信号配線の周囲における電磁妨害を低減或いは防止できると共に、伝送品質を向上させることができる。
【００１５】
本発明に係る第１の電気光学装置の他の態様では、前記電気光学パネル及び前記駆動回路に接続されたフレキシブル基板と、該フレキシブル基板上に設けられており、前記変調されたデータ信号を復調する復調回路とを備え、前記信号配線は、前記フレキシブル基板上に形成される。
【００１６】
この態様によれば、フレキシブル基板によって、電気光学パネルと駆動回路とを容易に接続することができる。更に、信号配線によって伝送される伝送信号が、復調回路によって復調されデータ信号として電気光学パネルに供給することが可能となる。
【００１７】
本発明に係る第２の電気光学装置は上記課題を解決するために、電気光学動作を行う電気光学パネルと、該電気光学パネルに電気的に接続された信号配線と、該信号配線における前記電気光学パネルに電気的に接続された一端とは異なる他端に電気的に接続されており、前記電気光学パネルに供給すべきデジタル信号としてのデータ信号を、ＮＲＺＩ方式又はＭＮＲＺＩ方式で変調する変調回路を含む、前記電気光学パネルを駆動するための駆動回路とを備える。
【００１８】
本発明に係る第２の電気光学装置によれば、上述した本発明に係る第１の電気光学装置と概ね同様に、電気光学パネルの画素領域において画像表示動作が行われる。
【００１９】
本発明にでは特に、駆動回路は、データ信号をＮＲＺＩ（Non Return to Zero Inverted）方式又はＭＮＲＺＩ（Modified Non Return to Zero Inverted）方式で変調する変調回路を含んでいる。即ち、変調回路は、データ信号のビットが、「１」の場合には、伝送信号の電位を基準電位に対して極性反転させ、「０」の場合には、伝送信号の電位を維持するようにするＮＲＺＩ方式でデータ信号を変調する。又は、変調回路は、データ信号のビットが、「１」の場合には、伝送信号の電位を基準電位に対して極性反転させ、「０」の場合には、伝送信号の電位を維持すると共に「０」が例えば６個など所定個数だけ連続する場合には、その所定個数個目の「０」の次に「１」があるものとして伝送信号の電位を基準電位に対して極性反転させるようにするＭＮＲＺＩ方式でデータ信号を変調する。よって、データ信号に「０」が含まれる場合には、伝送信号の周波数を、基準クロックの周波数よりも低くすることができる。ここで特に、データ信号において「０」が連続する部分が多いほど、伝送信号の周波数をより低くすることができる。従って、伝送信号を伝送する信号配線の周囲における電磁妨害を低減或いは防止できると共に、伝送品質を向上させることができる。
【００２０】
本発明の電子機器は上記課題を解決するために、上述した本発明の電気光学装置（但し、その各種態様も含む）を具備する。
【００２１】
本発明の電子機器によれば、上述した本発明の電気光学装置を具備してなるので、高品位な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００２２】
本発明の作用及び他の利得は次に説明する実施するための最良の形態から明らかにされる。
【発明を実施するための最良の形態】
【００２３】
以下では、本発明の実施形態について図を参照しつつ説明する。以下の実施形態では、本発明の電気光学装置の一例であるＴＦＴアクティブマトリクス駆動方式の液晶装置を例にとる。
【００２４】
＜第１実施形態＞
第１実施形態に係る液晶装置について、図１から図７を参照して説明する。
【００２５】
先ず、本実施形態に係る液晶装置の全体構成について、図１を参照して説明する。ここに図１は、本実施形態に係る液晶装置の全体構成を示すブロック図である。
【００２６】
図１において、本実施形態に係る液晶装置は、本発明に係る「電気光学パネル」の一例としての液晶パネル１００、外部基板５００及びフレキシブル基板６００を備えている。
【００２７】
液晶パネル１００は、図２から図４を参照して後に詳細に説明するが、複数の画素電極がマトリクス状に配列された画像表示領域１０ａにおける画像表示が可能に構成されている。
【００２８】
液晶パネル１００と外部基板５００とは、フレキシブル基板６００を介して互いに電気的に接続されている。
【００２９】
外部基板５００には、画像信号処理回路８１０、変調回路８２０、ＬＶＤＳ送信回路８３０等の駆動回路８００が設けられている。
【００３０】
画像信号処理回路８１０は、外部から入力されるパラレル形式のデジタル信号である画像データＤｐを、パラレル−シリアル変換して、シリアル形式のデジタル信号である画像データＤｓとして変調回路８２０へ出力する。尚、本実施形態では、画像データＤｐは、液晶パネル１００に設けられた４８０本のデータ線６ａ（後述する図４参照）の各々に対応する４８０系列の画像データとして画像信号処理回路８１０へ入力される。画像信号処理回路８１０は、４８０系列の画像データＤｐを、データ線６ａの４本分毎に多重化し（即ち、四重化し）、１２０系列のシリアルな（即ち、線順次の）画像データＤｓに変換する。
【００３１】
変調回路８２０は、画像信号処理回路８１０からの画像データＤｓを、図示しないタイミング発生回路からの基準クロック信号ＣＬＫに基づいてＭＦＭ方式で変調して、変調信号ＳａをＬＶＤＳ送信回路８３０へ出力する。尚、変調回路８２０による画像データＤｓの変調については、図６を参照して後に詳細に説明する。
【００３２】
ＬＶＤＳ送信回路８３０は、変調回路８２０からの変調信号Ｓａを、低電圧差動信号（ＬＶＤＳ：Low Voltage Differential Signaling）として、フレキシブル基板６００上の信号配線６１０へ送信する。例えば、変調信号Ｓａの振幅を半分にした信号と、変調信号Ｓａを基準電位Ｖ０に対して極性反転させた反転変調信号ＳａＩＮＶの振幅を半分にした信号とを、低電圧差動信号として信号配線６１０へ送信する。
【００３３】
フレキシブル基板６００には、ＬＶＤＳ受信回路７１０、復調回路７２０及びデータ線駆動回路７３０が設けられている。これらの回路は、ＴＡＢ（Tape Automated Bonding）技術を用いてフィルムに実装された駆動用ＩＣチップとして構成され、異方性導電フィルムを介して電気的および機械的にフレキシブル基板６００に固着されている。フレキシブル基板６００は、ポリイミド等の基材に信号配線がパターニングされることで構成されている。尚、フレキシブル基板６００は、その一部又は全部をポリ塩化ビフェニール（ＰＣＢ：polychlorinated biphenyl）等の基材に信号配線をパターニングして構成してもよい。
【００３４】
ＬＶＤＳ受信回路７１０は、フレキシブル基板６００上の信号配線６１０によって伝送された低電圧差動信号を受信して、変調信号Ｓａを生成する。例えば、低電圧差動信号として受信した、変調信号Ｓａの振幅を半分にした信号と、変調信号Ｓａを基準電位Ｖ０に対して極性反転させた反転変調信号ＳａＩＮＶの振幅を半分にした信号との差分をとることで、変調信号Ｓａを生成する。ＬＶＤＳ受信回路７１０は、生成した変調信号Ｓａを復調回路７２０へ出力する。
【００３５】
復調回路７２０は、変調信号ＳａをＭＦＭ方式で復調して、画像データＤｓとしてデータ線駆動回路７３０へ出力する。
【００３６】
データ線駆動回路７３０は、復調回路７２０からの画像データＤｓをシリアル−パラレル変換すると共にデジタル−アナログ変換して、液晶パネル１００の複数のデータ線からなる組に対応したパラレル形式の画像信号ＶＩＤ１〜ＶＩＤ１２０を液晶パネル１００に出力する。
【００３７】
次に、本実施形態に係る液晶装置が備える液晶パネルの全体構成について、図２及び図３を参照して説明する。ここに図２は、本実施形態に係る液晶装置が備える液晶パネルの全体構成を示す平面図である。図３は、図２のＨ−Ｈ’線断面図である。
【００３８】
図２及び図３において、液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００３９】
図２において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、画像信号が供給される画像信号端子を含む外部回路接続端子１０２がＴＦＴアレイ基板１０の一辺に沿って設けられている。この一辺に沿ったシール領域よりも内側に、デマルチプレクサ７が額縁遮光膜５３に覆われるようにして設けられている。また、走査線駆動回路１０４は、この一辺に隣接する２辺に沿ったシール領域の内側に、額縁遮光膜５３に覆われるようにして設けられている。ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。ＴＦＴアレイ基板１０上には、外部回路接続端子１０２と、デマルチプレクサ７、走査線駆動回路１０４、上下導通端子１０６等とを電気的に接続するための引回配線９０が形成されている。
【００４０】
図２において、ＴＦＴアレイ基板１０上には、駆動素子である画素スイッチング用ＴＦＴや走査線、データ線等の配線が作り込まれた積層構造が形成されている。画像表示領域１０ａには、画素スイッチング用ＴＦＴや走査線、データ線等の配線の上層に画素電極９ａが設けられている。画素電極９ａ上には、配向膜が形成されている。他方、対向基板２０におけるＴＦＴアレイ基板１０との対向面上に、遮光膜２３が形成されている。遮光膜２３上に、ＩＴＯ等の透明材料からなる対向電極２１が複数の画素電極９ａと対向して形成されている。対向電極２１上には配向膜が形成されている。液晶層５０は、例えば一種又は数種類のネマティック液晶を混合した液晶からなり、これら一対の配向膜間で、所定の配向状態をとる。
【００４１】
尚、ここでは図示しないが、ＴＦＴアレイ基板１０上には、走査線駆動回路１０４の他に、製造途中や出荷時の当該液晶パネルの品質、欠陥等を検査するための検査回路、検査用パターン等が形成されていてもよい。
【００４２】
次に、上述した液晶パネルの電気的な構成について、図４及び図５を参照して説明する。ここに図４は、本実施形態に係る液晶装置が備える液晶パネルの電気的な構成を示すブロック図である。図５は、本実施形態に係る液晶装置が備える液晶パネルの画素部の等価回路図である。
【００４３】
図４において、液晶パネル１００は、ＴＦＴアレイ基板１０上に、デマルチプレクサ７及び走査線駆動回路１０４を備えている。ＴＦＴアレイ基板１０上の外部回路接続端子１０２のうち画像信号端子１０２ｄに上述したデータ駆動回路７３０が接続される。
【００４４】
ＴＦＴアレイ基板１０上の画像表示領域１０ａには、３２０行の走査線１１ａが行方向（即ち、Ｘ方向）に延在するように設けられ、また、４本毎にブロック化された４８０（＝１２０×４）列のデータ線６ａが、列方向（即ち、Ｙ方向）に延在するように、且つ、各走査線１１ａと互いに電気的な絶縁を保つように、設けられている。尚、走査線１１ａ及びデータ線６ａの本数はそれぞれ３２０本及び４８０本に限定されるものではない。１ブロックを構成するデータ線数は、本実施形態では「４」としたが、「２」以上であればよい。
【００４５】
画素部９００は、３２０本の走査線１１ａと４８０本のデータ線６ａとの交差に対応して、それぞれ配列されている。従って、本実施形態では、画素部９００は、縦３２０行×横４８０列で、所定の画素ピッチでマトリクス状に配列することになる。
【００４６】
図５に示すように、画素部９００は、画素スイッチング用ＴＦＴ３０、液晶素子７２及び蓄積容量７０を備えている。
【００４７】
画素スイッチング用ＴＦＴ３０は、ソースがデータ線６ａに電気的に接続され、ゲートが走査線１１ａに電気的に接続され、ドレインが後述する液晶素子７２の画素電極９ａに電気的に接続されている。画素スイッチング用ＴＦＴ３０は、走査線駆動回路１０４から供給される走査信号によってオンオフが切り換えられる。
【００４８】
液晶素子７２は、画素電極９ａ、対向電極２１並びに画素電極９ａ及び対向電極２１間に狭持された液晶から構成されている。液晶素子７２において、データ線６ａ及び画素電極９ａを介して液晶に書き込まれた所定レベルのデータ信号は、対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からはデータ信号に応じたコントラストをもつ光が出射する。
【００４９】
蓄積容量７０は、保持されたデータ信号がリークするのを防ぐために、画素電極９ａと対向電極２１（図３参照）との間に形成される液晶容量と並列に付加されている。
【００５０】
以上のような画素部９００が、画像表示領域１０ａにマトリクス状に配列されているので、アクティブマトリクス駆動が可能となっている。
【００５１】
再び図４において、本実施形態では、１グループを構成する４列のデータ線６ａを区別するために、右から順にそれぞれａ、ｂ、ｃ及びｄ系列と呼ぶ場合がある。詳細には、ａ系列とは１、５、９、…、４７７列目のデータ線６ａであり、ｂ系列とは２、６、１０、…、４７８列目のデータ線６ａであり、ｃ系列とは３、７、１１、…、４７９列目のデータ線６ａであり、ｄ系列とは４、８、１２、…、４８０列目のデータ線６ａである。
【００５２】
走査線駆動回路１０４は、１、２、３、…、３２０行目の走査線１１ａに、走査信号Ｇ１、Ｇ２、Ｇ３、…、Ｇ３２０を供給する。詳細には、走査線駆動回路１０４は、１フレームの期間にわたって１、２、３、…、３２０行目の走査線１１ａを順番に選択するとともに、選択した走査線への走査信号を選択電圧に相当するＨレベルとし、それ以外の走査線への走査信号を非選択電圧に相当するＬレベルとする。
【００５３】
データ線駆動回路７３０は、上述したようにフレキシブル基板６００上に設けられており、画像信号端子１０２ｄを介して液晶パネル１００と電気的に接続されている。データ線駆動回路７３０は、走査線駆動回路１０４によって選択された走査線１１ａと、各ブロックに属する４列のデータ線６ａのうち、デマルチプレクサ７によって選ばれるデータ線６ａとに対応する画素部９００に対し、画素の階調に応じた電圧の画像信号を出力する。
【００５４】
尚、本実施形態では、上述したように、データ線６ａの列数は「４８０」であり、これらが４列毎にブロック化されているので、画像信号端子１０２ｄの個数は「１２０」である。
【００５５】
デマルチプレクサ７は、データ線６ａ毎に設けられたＴＦＴ７１を含んで構成されている。ここで、ＴＦＴ７１はｎチャネル型であり、各ドレインはデータ線６ａの一端に接続され、同一ブロックに属するデータ線６ａに対応する４個のＴＦＴ７１のソースは共通接続されて、当該ブロックに対応する画像信号が供給される。
【００５６】
即ち、ｍ番目（但し、ｍは１以上１２０以下の整数）のブロックは、ａ系列の（４ｍ−３）列目、ｂ系列の（４ｍ−２）列目、ｃ系列の（４ｍ−１）列目及びｄ系列の（４ｍ）列目のデータ線６ａから構成されるので、これら４列のデータ線６ａに対応するＴＦＴ７１のソースは共通接続されて、画像信号ＶＩＤ（ｍ）が供給される。（４ｍ−３）列目のデータ線６ａに対応するＴＦＴ７１のゲートには、制御信号Ｓｅｌ１が供給され、同様に（４ｍ−２）列目、（４ｍ−１）列目及び（４ｍ）列目のデータ線６ａに対応するＴＦＴ７１のゲートには、制御信号Ｓｅｌ２、Ｓｅｌ３及びＳｅｌ４が供給される。尚、制御信号Ｓｅｌ１、Ｓｅｌ２、Ｓｅｌ３及びＳｅｌ４は、データ線駆動回路７３０から外部回路接続端子１０２を介して供給される。
【００５７】
次に、本実施形態に係る液晶装置のフレキシブル基板上の信号配線におけるデータ伝送について、図１に加えて図６及び図７を参照して説明する。ここに図６は、本実施形態に係る液晶装置におけるデータ伝送方式を説明するためのタイミングチャートである。図７は、比較例における図６と同趣旨のタイミングチャートである。
【００５８】
図１を参照して上述したように、本実施形態では特に、外部回路５００に設けられた駆動回路８００には、画像データＤｓを本発明に係る「周波数変調方式」の一例であるＭＦＭ方式で変調する変調回路８２０が含まれている。
【００５９】
図６に示すように、変調回路８２０は、画像データＤｓのビットが、「１」の場合には、変調信号Ｓａの電位を基準電位Ｖ０に対して極性反転させ、「０」が一つの場合には、変調信号Ｓａの電位を維持し、「０」が連続する場合には、変調信号Ｓａの電位をその連続する境界（例えば、図中、Ｐ１、Ｐ２、Ｐ３及びＰ４が示すタイミング）で極性反転させるように、画像データＤｓを変調して変調信号Ｓａを生成する。尚、図６では、画像データＤｓの一例に対応する変調信号Ｓａを示している。
【００６０】
よって、外部基板５００（より具体的には、ＬＶＤＳ送信回路８３０）からフレキシブル基板６００上の信号配線６１０に出力される変調信号Ｓａの周波数を、仮に、図７に比較例として示すように、画像データＤｓをＮＲＺ方式で変調した場合における変調信号Ｓｂと比べて低くすることができる。
【００６１】
従って、画像データＤｓ（言い換えれば、画像データＤｓが変調された変調信号Ｓａ）を伝送する伝送路であるフレキシブル基板６００上の信号配線６１０の周囲における電磁妨害（即ち、ＥＭＩ）を低減或いは防止できると共に、伝送品質を向上させることができる（即ち、良好なアイパターンを得ることができる）。
【００６２】
更に、本実施形態では特に、画像データＤｓは変調回路８２０によってＭＦＭ方式で変調されるので、変調信号Ｓａには、変調信号Ｓａを復調回路７２０によって復調する際の基準となる基準クロック信号ＣＬＫが含まれている。よって、基準クロック信号ＣＬＫを、変調信号Ｓａと別個に、外部基板５００側から液晶パネル１００側の復調回路７２０へ伝送する必要がない。即ち、例えば、基準クロック信号ＣＬＫを伝送するための信号配線を接続するための端子を、液晶パネル１００側に設ける必要がない。従って、当該液晶装置をより簡易な構成とすることができる。
【００６３】
加えて、画像データＤｓは変調回路８２０によってＭＦＭ方式で変調されるので、基準クロック信号ＣＬＫの周波数を高くすることで伝送速度（或いは転送レート）を高めると共に、変調信号Ｓａの周波数を、仮に、図７に比較例として示すように、画像データＤｓをＮＲＺ方式で変調した場合における変調信号Ｓｂと比べて低くすることができる。言い換えれば、変調信号Ｓａの周波数が、仮に、図７に比較例として示すように、画像データＤｓをＮＲＺ方式で変調した場合における変調信号Ｓｂと比べて低くなる範囲内において、基準クロック信号ＣＬＫの周波数を比較的高く設定することで、変調信号Ｓａの周波数を実質的に低下させつつ、伝送速度を高めることが可能となる。
【００６４】
以上説明したように、本実施形態に係る液晶装置によれば、画像データの伝送に伴う電磁妨害を低減できると共に、伝送品質を向上させることができる。この結果、高品位な画像を表示可能となる。
【００６５】
＜第２実施形態＞
次に、第２実施形態に係る液晶装置について、図８を参照して説明する。ここに図８は、第２実施形態における図６と同趣旨のタイミングチャートである。尚、図８において、図６に示した第１実施形態に係る構成要素と同様の構成要素に同一の参照符合を付し、それらの説明は適宜省略する。
【００６６】
図１から図６を参照して上述した第１実施形態に係る液晶装置では、変調回路８２０及び復調回路７２０をそれぞれ、画像データＤｓをＭＦＭ方式で変調及び復調するように構成したが、第２実施形態に係る液晶装置のように、変調回路８２０及び復調回路７２０をそれぞれ、画像データＤｓをＮＲＺＩ方式で変調及び復調するように構成してもよい。
【００６７】
即ち、図８において、第２実施形態では特に、変調回路８２０は、画像データＤｓをＮＲＺＩ方式で変調する。つまり、変調回路８２０は、画像データＤｓのビットが、「１」の場合には、変調信号Ｓａの電位を基準電位Ｖ０に対して極性反転させ、「０」の場合には、変調信号Ｓａの電位を維持するように、画像データＤｓを変調して変調信号Ｓａを生成する。
【００６８】
よって、画像データＤｓに「０」が含まれる場合には、変調信号Ｓａの周波数を、基準クロック信号ＣＬＫの周波数よりも低くすることができる。ここで特に、画像データＤｓにおいて「０」が連続する部分が多いほど、変調信号Ｓａの周波数をより低くすることができる。従って、変調信号Ｓａを伝送するフレキシブル基板６００上の信号配線６１０の周囲における電磁妨害を低減或いは防止できると共に、伝送品質を向上させることができる。
【００６９】
＜第３実施形態＞
次に、第３実施形態に係る液晶装置について、図９を参照して説明する。ここに図９は、第３実施形態における図６と同趣旨のタイミングチャートである。尚、図９において、図６に示した第１実施形態に係る構成要素と同様の構成要素に同一の参照符合を付し、それらの説明は適宜省略する。
【００７０】
図１から図６を参照して上述した第１実施形態に係る液晶装置では、変調回路８２０及び復調回路７２０をそれぞれ、画像データＤｓをＭＦＭ方式で変調及び復調するように構成したが、第３実施形態に係る液晶装置のように、変調回路８２０及び復調回路７２０をそれぞれ、画像データＤｓをＭＮＲＺＩ方式で変調及び復調するように構成してもよい。
【００７１】
即ち、図９において、第３実施形態では特に、変調回路８２０は、画像データＤｓをＭＮＲＺＩ方式で変調する。つまり、変調回路８２０は、画像データＤｓのビットが、「１」の場合には、変調信号Ｓａの電位を基準電位Ｖ０に対して極性反転させ、「０」の場合には、変調信号Ｓａの電位を維持すると共に「０」が６個連続する場合には、その６個目の次に「１」があるものとして変調信号Ｓａの電位を基準電位Ｖ０に対して極性反転させるように、画像データＤｓを変調して変調信号Ｓａを生成する。つまり、図９（ａ）に示すように、「０」が６個連続しない場合には、ＮＲＺＩ方式と同様に変調し、図９（ｂ）に示すように、「０」が６個連続する場合には、その連続した６個の「０」の次に「１」（図中、ビットＢ１）を挿入したうえで、ＮＲＺＩ方式と同様に変調する。尚、復調回路７２０は、変調信号ＳａをＮＲＺＩ方式で復調した後、この挿入した「１」（例えば、ビットＢ１）を削除することで、画像データＤｓを生成する。
【００７２】
よって、画像データＤｓに「０」が含まれる場合には、変調信号Ｓａの周波数を、基準クロック信号ＣＬＫの周波数よりも低くすることができる。ここで特に、画像データＤｓにおいて「０」が連続する部分が多いほど、変調信号Ｓａの周波数をより低くすることができる。従って、変調信号Ｓａを伝送するフレキシブル基板６００上の信号配線６１０の周囲における電磁妨害を低減或いは防止できると共に、伝送品質を向上させることができる。
【００７３】
更に、本実施形態では特に、画像データＤｓは変調回路８２０によってＭＮＲＺＩ方式で変調されるので、変調信号Ｓａには、変調信号Ｓａを復調回路７２０によって復調する際の基準となる基準クロック信号ＣＬＫが、挿入された「１」として含まれている。つまり、変調信号Ｓａには連続した６個の「０」の次に「１」が挿入されているので、変調信号Ｓａから基準クロック信号ＣＬＫの周波数を算出可能である。よって、基準クロック信号ＣＬＫを、変調信号Ｓａと別個に、外部基板５００側から液晶パネル１００側の復調回路７２０へ伝送する必要がない。即ち、例えば、基準クロック信号ＣＬＫを伝送するための信号配線を接続するための端子を、液晶パネル１００側に設ける必要がない。従って、当該液晶装置をより簡易な構成とすることができる。
【００７４】
＜電子機器＞
次に、上述した電気光学装置である液晶装置を電子機器に適用する場合について説明する。以下では、この液晶装置をライトバルブとして用いたプロジェクタについて説明する。図１０は、プロジェクタの構成例を示す平面図である。
【００７５】
図１０に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００７６】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００７７】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００７８】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００７９】
尚、図１０を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００８０】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８１】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【図面の簡単な説明】
【００８２】
【図１】第１実施形態に係る液晶装置の全体構成を示す平面図である。
【図２】第１実施形態に係る液晶パネルの全体構成を示す平面図である。
【図３】図３は、図２のＨ−Ｈ’線断面図である。
【図４】第１実施形態に係る液晶パネルの電気的な構成を示すブロック図である。
【図５】第１実施形態に係る液晶パネルの画素部の等価回路図である。
【図６】第１実施形態に係る液晶装置のデータ伝送方式を説明するためのタイミングチャートである。
【図７】比較例における図６と同趣旨のタイミングチャートである。
【図８】第２実施形態における図６と同趣旨のタイミングチャートである。
【図９】第３実施形態における図６と同趣旨のタイミングチャートである。
【図１０】電気光学装置を適用した電子機器の一例たるプロジェクタの構成を示す平面図である。
【符号の説明】
【００８３】
６ａ…データ線、９ａ…画素電極、１０…ＴＦＴアレイ基板、１０ａ…画像表示領域、１１ａ…走査線、２０…対向基板、２１…対向電極、２３…遮光膜、５０…液晶層、１００…液晶パネル、１０２…外部回路接続端子、１０４…走査線駆動回路、５００…外部基板、６００…フレキシブル基板、６１０…信号配線、７１０…ＬＶＤＳ受信回路、７２０…復調回路、７３０…データ線駆動回路、８００…駆動回路、８１０…画像信号処理回路、８２０…変調回路、８３０…ＬＶＤＳ送信回路
【図１】
2008216724.tif 000003
【図２】
2008216724.tif 000004
【図３】
2008216724.tif 000005
【図４】
2008216724.tif 000006
【図５】
2008216724.tif 000007
【図６】
2008216724.tif 000008
【図７】
2008216724.tif 000009
【図８】
2008216724.tif 000010
【図９】
2008216724.tif 000011
【図１０】
2008216724.tif 000012